(57)【要約】【課題】電気掃除機において、操作パイプの摺動面に塵埃が侵入し難くし、パイプ間の摺動をよくすること。【解決手段】掃除機本体に着脱可能に装着され、一端部に把手部を有する操作パイプ３を備え、操作パイプ３の把手部側とは反対側の他端部先端から出し入れ自在に摺動する大径パイプ（パイプＡ）１１Ａを有し、操作パイプ３の大径パイプ１１Ａ側先端部の内側に、大径パイプ１１Ａが摺動可能な内筒壁２０を設けて２重壁構成としたもので、操作パイプ３の外筒壁よりも内側に内筒壁２０を設けたことにより塵埃が摺動面の隙間２１に侵入し難くして、操作パイプ３と大径パイプ１１Ａとの摺動が重くなる、あるいは摺動ができなくなるということを防止し、使い勝手の良い電気掃除機を提供できるようになる。【選択図】図５
2010057652.tif 000002
【特許請求の範囲】
【請求項１】
底面に吸込開口を有する吸込口体と、前記吸込口体の上方に設けられ集塵室と電動送風機とを有する掃除機本体と、前記掃除機本体に着脱可能に装着され、一端部に把手部を有する操作パイプと、前記操作パイプの把手部近傍に一端が接続され他端が前記掃除機本体に接続されて前記操作パイプと前記集塵室とを連通する集塵ホースとを備え、前記操作パイプの把手部側とは反対側の他端部先端から出し入れ自在に摺動するパイプＡを有し、前記操作パイプのパイプＡ側先端部の内側に、前記パイプＡが摺動可能な内筒壁を設けて２重壁構成とした電気掃除機。
【請求項２】
パイプＡの操作パイプ側とは反対側の先端から出し入れ自在に摺動するパイプＢを備え、前記パイプＡの前記パイプＢ側先端部の内側に、前記パイプＢが摺動可能な内筒壁を設けて２重壁構成とした請求項１に記載の電気掃除機。
【請求項３】
パイプＡの操作パイプ側先端に、爪部またはフランジ部を形成し、前記パイプＡを前記操作パイプから最大に引き出した状態で、前記爪部またはフランジ部が、前記操作パイプの内筒壁端部と当接する構成とした請求項１または２に記載の電気掃除機。
【請求項４】
パイプＢのパイプＡ側先端に、爪部またはフランジ部を形成し、前記パイプＢを前記パイプＡから最大に引き出した状態で、前記爪部またはフランジ部が、前記パイプＡの内筒壁端部と当接する構成とした請求項２に記載の電気掃除機。
【発明の詳細な説明】
【技術分野】
【０００１】
本発明は、掃除機本体に伸縮自在のパイプ手段を有する電気掃除機に関するものである。
【背景技術】
【０００２】
従来の電気掃除機について、図１０、図１１を用いて説明する。
【０００３】
従来の電気掃除機は、底面に吸込開口を有する吸込口体５０と、この吸込口体５０の上に設けた掃除機本体５１と、この掃除機本体５１に着脱可能に取り付けたパイプ５２からなるハンドル（操作パイプ）５３とを備え、このハンドル５３の上部には把手部５４が設けられ、ハンドル５３の上端には集塵ホース５５の一端が接続され、集塵ホース５５の他端は掃除機本体５１に接続されている。そして、集塵ホース５５と掃除機本体５１内の集塵室とが連通し、吸込口体５０も集塵室に連通しているが、掃除機本体５１を立てた状態では吸込口体５０と集塵室との連通が遮断される構造としている。掃除機本体５１に装着されたハンドル５３の先端部は密閉されている。したがってハンドル５３の先端部からの吸込みは、掃除機本体５１を立てた状態でハンドル５３を掃除機本体５１から取外すことで使用することが出来るようになっている。ここでハンドル５３の摺動連結部５７は、ハンドル５３の摺動連結部５７の外筒壁内周面とハンドル５３から伸縮自在に伸びるパイプ５２の外筒壁外周面とが隙間５８を設けた摺動面となっている（例えば、特許文献１参照）。
【特許文献１】特開２００８―８００４３号公報
【発明の開示】
【発明が解決しようとする課題】
【０００４】
従来、この種の伸縮自在のパイプ手段を有する電気掃除機では、伸縮手段としてハンドル５３の摺動連結部５７は、ハンドル５３の摺動連結部５７の外筒壁内周面とハンドル５３から伸縮自在に伸びるパイプ５２の外筒壁外周面とが隙間５８を設けた摺動面となっていた。電気掃除機の使用初期で、本体の集塵室に塵埃がなく強い吸い込み力を有している場合には吸込まれた塵埃はハンドル（操作パイプ）５３の摺動連結部５７を通過してしまうが、集塵室に塵埃が蓄積し、吸い込み力が弱くなった場合に吸込まれた塵埃はハンドル（操作パイプ）５３内に留まり、摺動連結部５７の隙間５８に入り込み、摺動面に挟まりハンドル５３から伸縮自在に伸びるパイプ５２の伸縮操作が重くなる或は、伸縮操作が出来なくなるという課題があった。
【０００５】
本発明は上記課題を解決するもので、塵埃が摺動面に挟まり操作パイプから伸縮自在に伸びるパイプの伸縮操作が重くなる或は、伸縮操作が出来なくなるのを防止する使い勝手のよい電気掃除機を提供することを目的とする。
【課題を解決するための手段】
【０００６】
上記の課題を解決するために本発明は、底面に吸込開口を有する吸込口体と、前記吸込口体の上方に設けられ集塵室と電動送風機とを有する掃除機本体と、前記掃除機本体に着脱可能に装着され、一端部に把手部を有する操作パイプと、前記操作パイプの把手部近傍に一端が接続され他端が前記掃除機本体に接続されて前記操作パイプと前記集塵室とを連通する集塵ホースとを備え、前記操作パイプの把手部側とは反対側の他端部先端から出し入れ自在に摺動するパイプＡを有し、前記操作パイプのパイプＡ側先端部の内側に、前記パイプＡが摺動可能な内筒壁を設けて２重壁構成としたもので、吸い込み力が弱くなった場合に吸込まれた塵埃が操作パイプ内に留まり、摺動連結部分の隙間に入り込むのを、外筒壁よりも内周に設けた内筒壁で防ぎ、塵埃が摺動面に挟まり操作パイプから出し入れされるパイプＡとの摺動が重くなる、あるいは摺動が出来なくなることを防止する使い勝手のよい電気掃除機を提供できるものである。
【発明の効果】
【０００７】
上記発明によれば、摺動面に塵埃が挟まり難く、操作パイプから出し入れされるパイプＡとの摺動性を向上した、使い勝手のよい電気掃除機を提供できる。
【発明を実施するための最良の形態】
【０００８】
第１の発明は、底面に吸込開口を有する吸込口体と、前記吸込口体の上方に設けられ集塵室と電動送風機とを有する掃除機本体と、前記掃除機本体に着脱可能に装着され、一端部に把手部を有する操作パイプと、前記操作パイプの把手部近傍に一端が接続され他端が前記掃除機本体に接続されて前記操作パイプと前記集塵室とを連通する集塵ホースとを備え、前記操作パイプの把手部側とは反対側の他端部先端から出し入れ自在に摺動するパイプＡを有し、前記操作パイプのパイプＡ側先端部の内側に、前記パイプＡが摺動可能な内筒壁を設けて２重壁構成としたもので、吸い込み力が弱くなった場合に吸込まれた塵埃が操作パイプ内に留まり、摺動連結部分の隙間に入り込むのを、外筒壁よりも内周に設けた内筒壁で防ぎ、塵埃が摺動面に挟まり操作パイプから出し入れされるパイプＡとの摺動が重くなる、あるいは摺動が出来なくなることを防止する使い勝手のよい電気掃除機を提供できるものである。
【０００９】
第２の発明は、第１の発明に加えて、パイプＡの操作パイプ側とは反対側の先端から出し入れ自在に摺動するパイプＢを備え、前記パイプＡの前記パイプＢ側先端部の内側に、前記パイプＢが摺動可能な内筒壁を設けて２重壁構成としたもので、第１の発明の効果に加えて、パイプＡとパイプＢとの摺動性も向上でき、使い勝手のよい電気掃除機を提供できるものである。
【００１０】
第３の発明は、第１または第２の発明に加えて、パイプＡの操作パイプ側先端に、爪部またはフランジ部を形成し、前記パイプＡを前記操作パイプから最大に引き出した状態で、前記爪部またはフランジ部が、前記操作パイプの内筒壁端部と当接する構成としたもので、第１または第２の発明の効果に加えて、塵埃が操作パイプの内筒壁を乗越えて、操作パイプとパイプＡとの摺動部分の隙間に入り込むことをパイプＡの爪部またはフランジ部で防止でき、さらに、爪部またはフランジ部が操作パイプの内筒壁端部に当接することで、パイプＡの操作パイプからの抜け、外れを確実に防止することができるものである。
【００１１】
第４の発明は、第２の発明に加えて、パイプＢのパイプＡ側先端に、爪部またはフランジ部を形成し、前記パイプＢを前記パイプＡから最大に引き出した状態で、前記爪部またはフランジ部が、前記パイプＡの内筒壁端部と当接する構成としたもので、第２の発明の効果に加えて、塵埃がパイプＡの内筒壁を乗越えて、パイプＡとパイプＢとの摺動部分の隙間に入り込むことをパイプＢの爪部またはフランジ部で防止でき、さらに、爪部またはフランジ部がパイプＡの内筒壁端部に当接することで、パイプＢのパイプＡからの抜け、外れを確実に防止することができるものである。
【００１２】
以下、本発明の実施の形態について、図面を参照しながら説明する。なお、この実施の形態によりこの発明が限定されるものではない。
【００１３】
（実施の形態１）
本発明の第１の実施の形態について、図１から図６を用いて説明する。
【００１４】
図１から図６に示す電気掃除機は、底面に図示しない吸込開口を有する吸込室（図示せず）を形成した吸込口体１と、掃除機本体２と、この掃除機本体２に着脱可能に装着された伸縮可能な操作パイプ３とを備えている。吸込口体１の後部には前後方向に回動可能な回転管４が設けられており、この回転管４は吸込口体１の吸込室に連通されている。また、回転管４の上部は後述する掃除機本体２の下部の接続部５に固定されている。掃除機本体２は、内部に形成された集塵室６と、この集塵室６を負圧にする電動送風機７と、集塵室６に着脱自在に装着された集塵フィルタ（紙パック）Ｆ等とを備えている。
【００１５】
また、掃除機本体２の上部には取手８が一体的に設けられており、その前部側には集塵ホース９の一端が接続され、その集塵ホース９の他端が操作パイプ３の後端部に接続されている。そして、集塵ホース９は掃除機本体２の集塵室６に連通している。操作パイプ３は、後部に設けた把手部１０と、大径パイプ１１Ａに設けた取付凹部１２とを有している。そして、大径パイプ（パイプＡ）１１Ａの取付凹部１２を掃除機本体２の接続開口１３に差し込み係合突出部１４に係合させると、図示しないロック機構により係合突出部１４（図示せず）が上記取付凹部１２にロックされて、操作パイプ３が掃除機本体２に装着される。この操作パイプ３の先端部を掃除機本体２の接続開口１３に差し込むと、操作パイプ３の先端部は奥で密閉されるようになっている。係合突出部１４（図示せず）のロックの解除は掃除機本体２の取手８の上面に設けた解除レバー１５を引くことにより行われるようになっている。
【００１６】
そして、吸込口体１は、回転管４、接続部５を介して集塵室６に連通しているが、掃除機本体２を立てた状態では連通が遮断される構造としている。また上記したように掃除機本体２に装着された操作パイプ３の先端部は奥で密閉されるようになっている。したがって操作パイプ３の先端部からの吸込みは、掃除機本体２を立てた状態で操作パイプ３を掃除機本体２から取外すことで使用することが出来るようになっている。
【００１７】
また、操作パイプ３は、大径パイプ１１Ａと、この大径パイプ１１Ａ内に挿入された小径パイプ（パイプＢ）１６Ｂとを有し、この大径パイプ１１Ａが操作パイプ３内を摺動移動することにより伸縮するものであり。そして、操作パイプ３の摺動連結部１７Ａに設けたボタン１８Ａを押すと、大径パイプ１１Ａの摺動移動が可能となり、そのボタン１８Ａの押圧を解除すると大径パイプ１１Ａはその位置でロックされるようになっている。
【００１８】
更には、この小径パイプ１６Ｂが大径パイプ１１Ａ内を摺動移動することにより更に伸縮するものである。そして、摺動連結部１７Ｂに設けたボタン１８Ｂを押すと、小径パイプ１６Ｂの摺動移動が可能となり、そのボタン１８Ｂの押圧を解除すると小径パイプ１６Ｂはその位置でロックされるようになっている。
【００１９】
掃除機本体２の上部には電動送風機７の電源スイッチ１９が設けられている。
【００２０】
また、２０は、上記大径パイプ１１Ａの摺動連結部１７Ｂに大径パイプ１１Ａ外筒壁よりも内側に設けた内筒壁で、集塵室６に塵埃が蓄積し、吸い込み力が弱くなった時等に吸込まれた塵埃が操作パイプ３内に留まった場合でも、摺動連結部１７Ｂの隙間２１に入り込むのを外筒壁よりも内周に設けた内筒壁２０で防ぐものである。
【００２１】
また２２は、小径パイプ１６Ｂの後端に設けた爪部で、当該する摺動連結部１７Ｂの内筒壁２０端に当接させたものである。
【００２２】
以上のように構成された電気掃除機について、以下その動作、作用を説明する。
【００２３】
先ず、図７に示すように操作パイプ３を伸長させる。そして、電源スイッチ１９をオンにすると、電動送風機７が駆動されて集塵室６の空気が電動送風機７により吸引されていく。この吸引により集塵室６が負圧となり、この負圧が回転管４および吸込口体１の吸込室に作用し、吸込室の吸込開口から空気とともに塵埃が吸引されていく。吸込室に吸引された空気および塵埃は回転管４を介して掃除機本体２の集塵室６へ吸引されていき、塵埃が集塵フィルタＦに集塵されていく。なお、集塵方式は集塵フィルタＦのないサイクロン方式であってもよい。
【００２４】
吸込口体１による床面の掃除を行う場合には、図７に示すように操作パイプ３の把手部１０を持って掃除機本体２を前後に移動させれば床面などの掃除が行える。（この時掃除機本体２に装着された操作パイプ３の先端部は密閉されている）。
【００２５】
また、図３に示すように操作パイプ３を掃除機本体２から取り外して掃除を行う場合、掃除機本体２を立てた状態で（掃除機本体２を立てた状態では集塵室６への連通が遮断される）掃除機本体２の上部に設けた解除レバー１５を引くことにより係合突出部１４のロックの解除を行い、操作パイプ３を掃除機本体２から取外すことで操作パイプ３の先端部から吸引された空気および塵埃は操作パイプ３および集塵ホース９を介して掃除機本体２の集塵室６へ吸引されていく。
【００２６】
電動送風機７により吸引された空気は電動送風機７のモータ内を通ってこのモータを冷却していく。モータを冷却した空気は電動室（図示せず）を介して掃除機本体２に設けた図示しない排気孔から外へ排気されていく。
【００２７】
また、上記大径パイプ１１Ａの摺動連結部１７Ｂに大径パイプ１１Ａ外筒壁よりも内周に内筒壁２０を設けたことにより、集塵室６に塵埃が蓄積し、吸い込み力が弱くなった時等に吸込まれた塵埃が操作パイプ３や大径パイプ１１Ａ内に留まった場合でも、摺動連結部１７Ｂの隙間２１に入り込むのを外筒壁よりも内周に設けた内筒壁２０で防ぎ、図４に示すように塵埃は内筒壁２０を乗越えて摺動面の隙間２１に侵入することが出来ずに内筒壁２０と外筒壁との間の空間に溜まり、塵埃が摺動面に挟まり大径パイプ１１Ａから伸縮自在に伸びる小径パイプ１６Ｂの伸縮操作が重くなる或は、伸縮操作が出来なくなることを防止することが出来るものである。そして集塵室６に蓄積していた塵埃が捨てられ、吸い込み力が回復して強くなった時に内筒壁２０と外筒壁との間の空間に溜まっていた塵埃は集塵室６に吸込まれていくものである。
【００２８】
また小径パイプ１６Ｂの後端に爪部２２を設けて当該する摺動連結部１７Ｂの内筒壁２０端に当接させたことにより、伸縮操作時の小径パイプ１６Ｂの抜け、外れを確実に防止することが出来ると共に爪部２２が摺動面の隙間２１を覆い隠す構成となる為、更に塵埃が内筒壁２０を乗越えて摺動連結部１７Ｂの隙間に入り込むのを防ぐことが出来るものである。
【００２９】
また、図５に示すように同様に操作パイプ３の摺動連結部１７Ａに操作パイプ３外筒壁よりも内周に内筒壁２０を設けた場合及び大径パイプ１１Ａの後端に設けた爪部２２で、当該する摺動連結部１７Ａの内筒壁２０端に当接させた場合でも、上記と同様の効果が得られるものである。
【００３０】
更には、小径パイプ１６Ｂ内を摺動移動するパイプが追加されることにより更に伸縮する同様の構成が複数設けられた場合には、同様の効果が得られることは言うまでもないことである。
【００３１】
（実施の形態２）
本発明の第２の実施の形態について、図７を用いて説明する。なお、実施の形態１と同一部分については同一符号を付してその説明を省略する。
【００３２】
図７において３０は、小径パイプ１６Ｂの後端に設けたフランジ部で、当該する摺動連結部１７Ｂの内筒壁２０端に当接させたことにより、伸縮操作時の小径パイプ１６Ｂの抜け、外れを確実に防止することが出来ると共にフランジ部３０が摺動面の隙間２１を覆い隠す構成となる為、更に塵埃が内筒壁２０を乗越えて摺動連結部１７Ｂの隙間に入り込むのを防ぐことが出来るものである。
【００３３】
（実施の形態３）
本発明の第３の実施の形態について、図８、図９を用いて説明する。なお、他の実施の形態と同一部分については同一符号を付してその説明を省略する。
【００３４】
図８、図９において３１は、上記複数のパイプ後端に設けたフランジ部３０又は爪部２２の先に形成した庇部で、複数のパイプ後端に設けたフランジ部３０又は爪部２２の先に庇部３１を形成したことで塵埃が内筒壁２０を乗越えて摺動連結部の隙間に入り込むのを更に庇部３１で防ぐことが出来るものであり、伸縮操作時のパイプの抜け、外れを更に確実に防止することが出来る。
【００３５】
尚、本実施の形態１〜３において、操作パイプと、大径パイプと、小径パイプの３つのパイプから構成される例で説明をしたが、さらに多段の構成であっても問題ないものである。
【産業上の利用可能性】
【００３６】
以上のように、本発明にかかる電気掃除機は、パイプの摺動面に塵埃が入り難くしてパイプの摺動性を向上でき、パイプを有する家庭用、業務用等の電気掃除機に幅広く応用できる。
【図面の簡単な説明】
【００３７】
【図１】本発明の実施の形態１における電気掃除機の操作パイプまわりを示す要部断面図
【図２】同、電気掃除機から集塵室を取り外す状態を示す電気掃除機の外観斜視図
【図３】同、電気掃除機から操作パイプを取り外した状態を示す電気掃除機の外観斜視図
【図４】同、電気掃除機の大径パイプと小径パイプの摺動連結状態を示す要部詳細断面図
【図５】同、電気掃除機の操作パイプまわりを示す他の要部断面図
【図６】同、電気掃除機の床面掃除状態を示す電気掃除機の外観斜視図
【図７】本発明の実施の形態２における電気掃除機の操作パイプまわりの要部断面図
【図８】本発明の実施の形態３における電気掃除機の操作パイプまわりの要部断面図
【図９】同、電気掃除機の操作パイプまわりの他の例を示す要部断面図
【図１０】従来の電気掃除機の外観斜視図
【図１１】従来の電気掃除機の操作パイプまわりを示す要部断面図
【符号の説明】
【００３８】
１      吸込口体
２      掃除機本体
３      操作パイプ
４      回転管
５      接続部
６      集塵室
７      電動送風機
１１Ａ  大径パイプ（パイプＡ）
１６Ｂ  小径パイプ（パイプＢ）
１７Ａ、１７Ｂ  摺動連結部
１８Ａ、１８Ｂ  ボタン
１９    電源スイッチ
２０    内筒壁
２１    隙間
２２    爪部
３０    フランジ部
３１    庇部
【図１】
2010057652.tif 000003
【図２】
2010057652.tif 000004
【図３】
2010057652.tif 000005
【図４】
2010057652.tif 000006
【図５】
2010057652.tif 000007
【図６】
2010057652.tif 000008
【図７】
2010057652.tif 000009
【図８】
2010057652.tif 000010
【図９】
2010057652.tif 000011
【図１０】
2010057652.tif 000012
【図１１】
2010057652.tif 000013